(57)【要約】【課題】野球のバツテングやテニス打球練習や玩具用バツテングに使用できる軽量簡易な球技用テーイを得る。【解決手段】上部を任意形状に切り欠いた二枚の柔軟な板状の素材を適宜の位置で接合し、その接合箇所から上方を二又形状に球受体を形成して設け、前記球受体の下端部を接続体を介して支柱に取り付ける。【選択図】図１
2008012076.tif 000002
【特許請求の範囲】
【請求項１】
基板に伸縮自在の支柱を立設し、同支柱上端に衝撃吸収のための弾性素材の球受体を連接した球技用テイーにおいて、上部を任意形状に切り欠いた二枚の板状の素材を適宜の位置で接合して、その接合箇所から上方を二又形状に形成した球受体を設け、前記球受体の下端部を接続体を介して支柱上部側に取り付けた球技用テイー。
【請求項２】
ニ枚の板状の接合箇所の下方部を、二又形状に形成したことを特徴とする請求項１記載の球技用テイー。
【請求項３】
接続体の下部を、断面円形且テーパー形状に形成し、使用済み廃容器の口部に挿通して取り付けた請求項１又は２記載の球技用テイー。
【請求項４】
接続体の下部を、使用済み廃容器口部に取り付ける方法が、接続体の下端部に、使用済み廃容器口部に螺設している雄ネジに螺合して組合せ可能に雌ネジを螺設し、使用済み廃容器口部の雄ネジと螺合して取り付けた請求項３記載の球技用テイー。
【請求項５】
球受体下端部を直設基板に取り付けたことを特徴とする請求項１又は２記載の球技用テイー。  
【請求項６】
球受体と基板が折り畳み自在であることを特徴とする請求項５記載の球技用テイー。
【請求項７】
支柱を省略して、接続体を直接基板にゴム紐を連接して取り付けたことを特徴とする請求項１又は２記載の球技用テイー。
【発明の詳細な説明】
【技術分野】
【０００１】
本発明は、バツテングやテニスの練習、玩具用バツテングに使用できる球技用テイーに関する。
【背景技術】
【０００２】
バツテングやテニスの練習に使用できる球技用テイーは夫々各種知られている。従来の球技用テイーには、基板に支柱を立設し、支柱の先端部に柔軟な素材の皿状の球受けを設け、その球受けにボールを置き、バツトやラケツトで打球してバツテングや打球の練習をしている。
【０００３】
以下、図１２により従来のテイーについて説明する。８は支柱で上部に柔軟な素材で皿状の球受部２形成した球受体３を設けている。また下部は基板１２に取り付け支柱８を立設している。バツテング練習時バツトで球受部２や支柱８を強打しても、球受体３が破損しないように柔軟なゴムや合成樹脂で形成し、また強打してもテイーが転倒しないように支柱８の立設を支える基板１２を大きくかつ重く形成し、また基板１２と支柱８の取り付け部も強固に形成している。  
【発明の開示】
【発明が解決しようとする課題】
【０００４】
以上に述べた従来のテイーは、主として野球のバツテング練習に使用するもので、打撃によるテイーの破損を防ぎ、打撃による転倒を防止するため丈夫に作られており、テニスの打球練習でラケツトを損傷することなく使用できるものやプラスチツクのボールとバツトでバツテング遊びができるよう軽量簡易化したものはない。
【０００５】
本発明は、このような従来の構成が有していた問題を解決しようとするものであり、球受体を柔構造に形成して、打球具で球受体を打撃しても、柔構造で衝撃を緩和して支柱や基板への影響を減じ、軽量簡易構造で製造でき、更にテニスの打球練習にも使用でき、しかも打球時、ラケツトのガツトを損傷することがなく、また幼児がプラスチツクのボールとバツトでバツテング遊びができるようにした球技用テイーを実現することを目的とするものである。
【課題を解決するための手段】
【０００６】
そして、本発明の請求項１に記載の発明に係わる球技用テイーは、上記目的を達成するために、基板に伸縮自在の支柱を立設し、同支柱の上端に衝撃吸収のための弾性素材の球受体を連設して構成した球技用テイーにおいて、上部を任意形状に切り欠いた二枚の柔軟な板状の素材を適宜の位置で接合し、その接合箇所から上方を二又形状に形成して球受体を設け、前記球受体の下端部を接続体を介して支柱上端部に取り付けたものである。二枚の板状の素材は柔軟な合成樹脂や合成皮革や皮革を使用し、上部の切り欠きはＵ字形状、半円形状に切り欠いて形成するとよい。また二枚の板状の素材を接合し、且手で成形し略Ｙ字形状になるようにするとよい。また二枚の板状の素材の厚さは、使用するボールにより決めるとよい。玩具用の軽量なプラスチツクのボールを使用する場合は厚さ１ミリ以下、テニスボールを使用する場合は１.４ミリ〜１.５ミリ、野球用の軟式と硬式ボールを使用する場合は２ミリ以上にするとよい。また板状の素材の幅は接合部より下方にかけて幅広になるように形成するとよい。
【０００７】
請求項２記載の発明は、請求項１記載の球技用テイーにおいて、二枚の板状の素材の接合箇所の下方部を二又形状に形成したことを特徴とするものである。
【０００８】
請求項３記載の発明は、請求項１又は２記載の球技用テイーにおいて、接続体の下部を断面円形且テーパー形状に形成し、使用済み廃容器の口部に挿通して取り付けたものである。
【０００９】
請求項４記載の発明は、請求項３記載の球技用テイーにおいて、接続体下部を使用済み廃容器口部に取り付ける方法が、接続体の下部に使用済み廃容器口部に螺設している雄ネジに螺合可能に雌ネジを螺設し、使用済み廃容器口部の雄ネジに螺合して取り付けたものである。  
【００１０】
請求項５記載の発明は、請求項１又は２記載の球技用テイーにおいて、支柱と接続体を省略して、球受体下部を直接基板に取り付けたことを特徴とするものである。  
【００１１】
請求項６記載の発明は、請求項５記載の球技用テイーにおいて、球受体と基板が折り畳み自在であることを特徴とするものである。
【００１２】
請求項７記載の発明は、請求項１又は２記載の球技用テイーにおいて、支柱を省略して、接続体を直接基板にゴム紐で連接して取り付けたものである。  
【００１３】
上記の課題解決手段による作用は次ぎの通りである。すなわち、請求項１記載の球技用テイーは、まず、球受体は二枚の板状の柔軟な素材で形成しているので使用するボールの重量により板状の素材の厚さを決めれば、球受けにボールを安定的に載置することができる。次に打球具で球受体を打撃した場合、球受体が柔軟な板状で形成しているので、容易に且十分に曲折することにより衝撃を吸収緩和し、支柱や基板にかかる衝撃を大幅に減ずることができる。また水を入れた廃容器を錘として支柱下部に縛着してテイー立設の安定を保持することができる。
【００１４】
請求項２記載の球技用テイーは、球受体の接合部より下方を二又形状に形成して支柱に取り付けており、球受体下部を末広がりに二点で支えるので請求項１に記載のものより板状の素材をより薄く形成しても、載置したボールを安定的に保持することができ、且打球具による打撃で、支柱や基板にかかる衝撃をより緩和できる。また打撃で曲折した球受体は速やかに元の状態に復元することができる。
【００１５】
請求項３記載の球技用テイーは、例えばプラスチツク製のボトルや空きビンなど、身近にある使用済み容器に、接続体を介して球受体を取り付ける。支柱を廃容器に置き換えて簡略にし、軽量簡易化することができる。また廃容器に水を満たして錘とし、テイー立設の安定を保持することができる。
【００１６】
請求項４記載の球技用テイーは、請求項３の記載と同様、使用済み容器の使用により軽量簡易化になる。また接続体下部に螺設している雌ネジを廃容器飲み口に螺合して取り付けるのでテイーが転倒しても、錘としての水が漏水することはない。  
【００１７】
請求項５、６記載の球技用テイーを使用するには、球受体の下部に単行本を２〜３冊錘として置いたり、水を入れた容器を置いて安定を保持するようにする。    
【００１８】
請求項７記載の球技用テイーは、接続体下部に設けている取付溝孔に二つのゴム紐を係止し、ゴム紐の一方は基板に捲着し且引張して接続体を立設する。打球具で球受体を強打すると、球受体が曲折すると同時に接続体も傾斜して衝撃を緩和する。接続体は傾斜した後、ゴム紐の引張力で元の状態に復元する。また基板の下に本等に取り付けて錘として使用できるが、本を基板の代用として、接続体を直接本に取り付けてもよい。  
【００１９】
請求項３〜７記載のものは、床や地面に置いて使用できるが、テーブル、台、ダンボール箱等の上に載置して使用し、適宜な高さにして打球できる。
【発明の効果】
【００２０】
上述したように本発明の球技用テイーは、球受体を二枚の柔軟な板状の素材で形成することにより、打撃による衝撃を緩和でき、軽量簡易構造で製造できるようになつた。また使用済み容器の再利用によっても軽量簡易化できるようになつた。
【００２１】
また、接続体と支柱を省略して球受体と基板、接続体と基板でテイーを形成可能になつたので、大幅に軽量簡易化できるようになつた。
【００２２】
また、球受体を柔構造に形成することにより、ラケツトのガツトを破損することなくテニスの打球練習に使用することができるようになつた。
【００２３】
また、軽量簡易構造で製造できるようになつたので、プラスチツクボールとプラスチツクバツトを使用した玩具用テイーに使用できるようになつた。
【発明を実施するための最良の形態】
【００２４】
以下、本発明の実施の形態を図１〜図１１に基づいて説明する。図１は、本発明の実施の一形態に係わる球技用テイーを示す正面図とＡ−Ａ矢視図である。１は球受板で柔軟な板状の合成樹脂で、先端部をＵ字形状に切り欠いて球受部２を形成している。二枚の球受板１の球受部２の下方部をリベツト１４でかしめて一体にし、球受体３を形成している。更にかしめ部分より上方を二股形状に形成し、球受部２としている。
【００２５】
４は接続体で直方体を形成し、接続体４の上部側に四角形状の差込孔５、下部側に円形形状の差込孔６を設けている。上部側の差込孔５に球受体３の先端部７を差し込み、下部側の差込孔６に支柱８−Ａの先端部９を差し込んで球受体３と支柱８−Ａを連接している。
【００２６】
また、支柱８−Ａと支柱８−Ｂは束ねて、二つの雄雌混在のマジツクテープバンド１０で捲着且締着して伸縮自在に形成している。
【００２７】
支柱８−Ｂの下端部１１を基板１２の取付孔１３に取り付け、支柱８−Ｂを基板１２に立設している。また基板１２上に水を入れた使用済み廃容器１７を載置し、支柱８−Ｂにゴム紐２５で捲着して錘としている。
【００２８】
図２は本発明の実施の一形態に係わる球技用テイーを示す正面図とＢ−Ｂ矢視図である。二枚の球受板１をリベツト１４でかしめた部分より下方を二又形状に形成し、接続体４の左右の側面にビス１５と蝶ナツト１６で取り付けている。
【００２９】
図３は本発明の実施の一形態に係わる球技用テイーを示す正面図である。接続体４の下部を、使用済み廃容器１７口部１８に嵌合可能に断面円形且テーパー形状に形成している。テイーを使用するには、錘として容器１７に水を満たし廃容器１７の口部１８に接続体４下部を嵌合する。
【００３０】
図４は本発明の実施の一形態に係わる球技用テイーを示す正面図である。接続体４の下部を、使用済み廃容器１７口部１８に螺設している雄ネジ１９に螺合可能に雌ネジ２０を螺設している。接続体４下部を廃容器１７口部１８に螺合して取り付けている。
【００３１】
図５は本発明の実施の一形態に係わる球技用テイーを示す正面図とＣ−Ｃ矢視図である。球受体３の下部を基板１２の両側にビス２１と蝶ナツト２２で取り付けている。テイーを使用するには、基板１２の上に錘として単行本２４等を載置する。
【００３２】
図６は本発明の実施の一形態に係わる球技用テイーを示す正面図とＤ−Ｄ矢視図である。基板１２の両側を折り曲げ球受体３の下端部をリベツト１４で接合し、基板１２の中央部に折り目２６を形成し、図７に示す矢視の方向に折り畳み可能にしている。また基板１２上に水を入れた廃容器１７を載置して錘としている。
【００３３】
図８は本発明の実施の一形態に係わる球技用テイーを示す正面図とＥ−Ｅ矢視図である。接続体４の下部側に、山形形状で挿通溝２８を具備した取付溝孔２７を形成し、挿通溝２８から輪状に形成したゴム紐２５を挿通して取付溝孔２７に係止し、ゴム紐２５の他方は基板１２に捲着して取り付けている。図９に示すように、矢視方向に打撃された球受体３はゴム紐２５の引張により転倒せず且元の立設状態に復元する。
【００３４】
以下、上記構成の動作を説明する。打球練習をするためにボール２３を球受部に置く。図１０に示すようにボール２３は球受部２の四点で支え且ボールの球面２８が球受部２外側にはみ出るように載置しているので、打球具がボール２３に当る瞬間は球受部２に接触しない。ボール２３を飛ばした後、打球具は球受体３を打撃するが、図１１矢視に示すように球受体３は容易且十分に曲折して衝撃を緩和して逃がし下方へ衝撃が伝わることを減ずることができるので、軽量簡易な構造であっても打撃による衝撃の影響は少くなく、水をいれたペツトボトルや２〜３冊の単行本の錘ででも転倒を防止することができる。
【図面の簡単な説明】
【００３５】
【図１】本発明の実施の形態１を示す正面図とＡ−Ａ矢視図
【図２】本発明の実施の形態２を示す正面図とＢ−Ｂ矢視図
【図３】本発明の実施の形態３を示す正面図
【図４】本発明の実施の形態４を示す正面図
【図５】本発明の実施の形態５を示す正面図とＣ−Ｃ矢視図
【図６】本発明の実施の形態６を示す正面図とＤ−Ｄ矢視図
【図７】実施の形態６の折り畳んだ状態を示す参考図
【図８】本発明の実施の形態７を示す正面図とＥ−Ｅ矢視図
【図９】実施の形態７の打撃により傾いた状態を示す参考図
【図１０】球受部にボールを置いた状態を示す部分正面図とＦ−Ｆ矢視図
【図１１】球受体の曲折した状態を示す参考図
【図１２】従来のテイーを示す参考図
【符号の説明】
【００３６】
１  球受板
２  球受部
３  球受体
４  接続体
８−Ａ  支柱
８−Ｂ  支柱
１０  雄雌混在のマジツクバンド
１２  基板
１７  使用済み廃容器
２５  ゴム紐
２６  折り目
２７  取付溝孔
【図１】
2008012076.tif 000003
【図２】
2008012076.tif 000004
【図３】
2008012076.tif 000005
【図４】
2008012076.tif 000006
【図５】
2008012076.tif 000007
【図６】
2008012076.tif 000008
【図７】
2008012076.tif 000009
【図８】
2008012076.tif 000010
【図９】
2008012076.tif 000011
【図１０】
2008012076.tif 000012
【図１１】
2008012076.tif 000013
【図１２】
2008012076.tif 000014